(57)【要約】【課題】意匠性を損なうことなく強度を高める壁構造を提供すること。と。【解決手段】建物の既存壁１０１の表面に互いに隣接して取り付けられる複数の板体３を備える壁構造１であって、隣接する板体３同士が接する部分に形成される嵌合部３１は、板体３同士を接着する接着剤で形成された接着部４を備える壁構造である。板体３は、嵌合部３１が建物の水平方向に延びるように横張りで配置される。既存壁１０１は、建物の複数の壁面のうち、相対的に強度の低い低強度部を有し、接着部４は、低強度部における嵌合部３１に配置される。【選択図】図１
2019044442.tif 000002
【特許請求の範囲】
【請求項１】
建物の既存壁の表面に互いに隣接して取り付けられる複数の板体を備える壁構造であって、
隣接する前記板体同士が接する部分に形成される嵌合部は、前記板体同士を接着する接着剤で形成された接着部を備える壁構造。
【請求項２】
前記板体は、前記嵌合部が前記建物の水平方向に延びるように横張りで配置される、請求項１に記載の壁構造。
【請求項３】
前記既存壁は、前記建物の複数の壁面のうち、相対的に強度の低い低強度部を有し、
前記接着部は、前記低強度部における前記嵌合部に配置される請求項１又は２に記載の壁構造。
【請求項４】
建物の既存壁の表面に互いに隣接して取り付けられる複数の板体を備える壁構造の施工方法であって、
前記板体を前記既存壁に固定する固定工程と、
前記板体の上下方向に隣接する板体を、前記板体に嵌合させて接続する嵌合工程と、を有し、
前記嵌合工程の前に、前記板体と前記隣接する板体との嵌合部に、接着剤を設ける接着部形成工程と、を備える壁構造の施工方法。
【発明の詳細な説明】
【技術分野】
【０００１】
本発明は、壁構造に関する。
【背景技術】
【０００２】
従来、木造家屋等の耐震性を高めるため、既存の壁面に補強用の金属板を隣接させて配置し、金属板をビスで既存の壁面に固定した壁構造が知られている（例えば、特許文献１参照）。この壁構造では、複数の金属板を隣接するように配置し、隣接する金属板同士の端部で重ね合せて留めるため、留めたビスが露出する。
【先行技術文献】
【特許文献】
【０００３】
【特許文献１】特開２０１７−２５６９号公報
【発明の概要】
【発明が解決しようとする課題】
【０００４】
一枚の金属板で壁全体を覆うことは困難であるので、複数の金属板を張り合わせることが必要になる。しかし、ビスで留めると、外観からビスが視認され、意匠性が損なわれる場合があった。
【０００５】
一方、金属板を水平方向に並べ、金属板の端部に、隣接する金属板同士が嵌合する嵌合部を設けることで、ビスを隠すことは可能になる。しかし、地震等の揺れにより金属板がずれる場合があるため、より確実に金属板を結合させることが望まれる。
【０００６】
本発明は、上記に鑑みてなされたものであり、意匠性を損なうことなく強度を高める壁構造を提供することを目的とする。
【課題を解決するための手段】
【０００７】
上記目的を達成するため本発明は、建物の既存壁（例えば、後述の既存壁１０１）の表面に互いに隣接して取り付けられる複数の板体（例えば、後述の板体３）を備える壁構造（例えば、後述の壁構造１）であって、隣接する前記板体同士が接する部分に形成される嵌合部（例えば、後述の嵌合部３１）は、前記板体同士を接着する接着剤で形成された接着部（例えば、後述の接着部４）を備える壁構造を提供する。
【０００８】
前記板体は、前記嵌合部が前記建物の水平方向に延びるように横張りで配置されることが好ましい。
【０００９】
前記既存壁は、前記建物の複数の壁面のうち、相対的に強度の低い低強度部（例えば、後述の領域Ｃ）を有し、前記接着部は、前記低強度部における前記嵌合部に配置されることが好ましい。
【００１０】
また、本発明は、建物の既存壁の表面に互いに隣接して取り付けられる複数の板体を備える壁構造の施工方法であって、前記板体を前記既存壁に固定する固定工程と、前記板体の上下方向に隣接する板体を、前記板体に嵌合させて接続する嵌合工程と、を有し、前記嵌合工程の前に、前記板体と前記隣接する板体との嵌合部に、接着剤を設ける接着部形成工程と、を備える壁構造の施工方法を提供する。
【発明の効果】
【００１１】
本発明によれば、意匠性を損なうことなく強度を高める壁構造を提供するこができる。
【図面の簡単な説明】
【００１２】
【図１】本実施形態における壁構造を示す斜視図である。
【図２】本実施形態における壁構造の断面図であり、（ａ）図は、図１のＡ−Ａ断面図であり、（ｂ）図は図１のＢ−Ｂ断面図である。
【図３】他の実施形態における壁構造を示す斜視図である。
【発明を実施するための形態】
【００１３】
以下、本発明の実施形態について図面を参照しながら詳細に説明する。
図１は、本実施形態における壁構造１の斜視図である。
壁構造１は、既存壁１０１と、通気胴縁２と、板体３と、カバー５と、を有する。
既存壁１０１は、例えば木造モルタル壁であり、補強する対象である。
通気胴縁２は、既存壁１０１の上に取り付ける下地材である。通気胴縁２は、水平方向に間隔を空けて、上下方向に延びるように配置される縦胴縁である。
【００１４】
板体３は、複数の板状の金属サイディングであり、既存壁１０１の表面に互いに隣接して取り付けられる。板体３は、水平方向に延びるように横張りで配置される。板体３は、板体本体３０及び嵌合部３１を有し、各板体本体３０の上端側及び下端側に設けられる嵌合部３１が、互いに嵌合するように配置される。
【００１５】
図２（ａ）は、図１のＡ−Ａ断面図である。図２（ａ）に示すように、板体本体３０は、表面３０ａ、芯材３０ｂ及び裏面３０ｃにより構成される。板体本体３０は、水平方向に沿って長く延び、上下方向に短い長方形の板状体である。
表面３０ａは、金属板により構成される。
芯材３０ｂは、金属板の裏に設けられるウレタン断熱材等の裏打ち材である。
裏面３０ｃは、芯材の裏面を覆うアルミや樹脂等のシート部材により構成される。
【００１６】
嵌合部３１は、上下に隣接する板体３同士が接する部分に形成される。嵌合部３１は、嵌合凹部３１１と、嵌合凸部３１２と、固定部３１３と、溝部３１４と、水密材３１５と、接着部４と、を有する。
嵌合凹部３１１は、施工状態における板体本体３０の下端部に形成される。嵌合凹部３１１は、板体本体３０の下側で、表面３０ａに配置される金属板が板体本体３０の厚さ方向に延びるとともに厚さ方向の中央部で内側に凹み、凹んだ位置から板体本体３０の下端へ屈曲し、板体本体３０の裏面３０ｃ側に折り畳まれることで形成される。嵌合凹部３１１は、板体本体３０の長手方向に沿って形成される。
【００１７】
嵌合凸部３１２は、施工状態における板体本体３０の上端部に形成される。嵌合凸部３１２は、板体本体３０の上側で、表面３０ａから金属板が板体本体３０の厚さ方向内側に延び、厚さ方向の中央部で上方に突出し、そこから下方へ折り返されることで形成される。嵌合凸部３１２は、板体本体３０の長手方向に沿って形成される。
【００１８】
固定部３１３は、表面３０ａ側から延出する金属板が、板体本体３０の裏面３０ｃ側で上方に延出することで形成される。固定部３１３は、嵌合凸部３１２と連続する金属板で形成される。固定部３１３は、裏面３０ｃに沿う平坦な部分を有し、図示するようにこの平坦な部分が通気胴縁２に接する。
【００１９】
溝部３１４は、嵌合凸部３１２の突出端から折り返された下方の端部と、固定部３１３の下方の端部の間に延びる面であり、嵌合凸部３１２と固定部３１３の間に挟まれて溝を形成する。溝部３１４は、嵌合凸部３１２及び固定部３１３と連続する金属板で形成される。溝部３１４は、板体本体３０の下端部で長手方向に沿って形成される。
【００２０】
水密材３１５は、嵌合凹部３１１及び嵌合凸部３１２の間に挟み込まれて配設され、上下の板体３の間の水密性が確保される。
【００２１】
接着部４は、溝部３１４に接着剤が塗布されることで形成される。接着部４は、固定部３１３の表面３０ａ側の面と、嵌合凹部３１１の下端部の近傍とが接着剤を介して接着されることで形成され、上下に嵌合された板体３同士を接着する。接着部４は、一枚の板体３の長手方向に沿って、板体３の一端から他端まで設けられる。接着剤としては、シーリング材等が用いられるが、必要となる強度に応じて種類を変更してよい。
【００２２】
図２（ｂ）は、図１のＢ−Ｂ断面図である。図２（ｂ）に示すように、板体３の嵌合部３１には、接着部４が設けられない領域がある。
壁構造１は、複数の既存壁１０１の壁面のうち、建物の躯体の構成により、強度が相対的に高い高強度部と、相対的に低い低強度部を有する。図１に戻って、高強度部を領域Ｄとし、低強度部を領域Ｃとして示す。この場合、領域Ｃの板体３における嵌合部３１にのみ、接着部４が配置される。領域Ｃにおいては、上下方向に並ぶ全ての板体３に、接着部４が設けられる。領域Ｄにおいては、上下方向に並ぶ全ての板体３に接着部４は設けられない。
【００２３】
カバー５は、壁構造１における入隅や出隅、水平方向に隣接し、上下方向に延びる板体３同士の継ぎ目を覆うものである。図１に示すように、カバー５は、入隅カバー５１、出隅カバー５２、継ぎ目カバー５３を有する。
【００２４】
次に、本実施形態の壁構造１の施工方法について説明する。
まず、施工前に建物の既存壁１０１における強度の低強度部を予め特定し、接着部４を設ける領域を決めておく。
そして、既存壁１０１に水平方向に所定の間隔を空けて、上下方向に延びるように通気胴縁２を釘やねじ等で固定する。
次に、板体３を所定の長さに切断し、水平方向に延びるように配置する。そして、板体３の固定部３１３を通気胴縁２に釘６で固定する。これにより、既存壁１０１の通気胴縁２が配置されていない部分において、既存壁１０１と板体３との間に通気層が形成される。通気胴縁２が配置されている部分においては、板体３が既存壁１０１に固定される。
【００２５】
次に、強度の低い領域Ｃにおいて、固定した板体３と、固定した板体３の上方に隣接する板体３との嵌合部３１に、接着剤を塗布して接着部４を形成する。詳細には、溝部３１４に接着剤を塗布し、接着剤を塗布した板体３の上方に配置する板体３の嵌合凹部３１１を、接着剤を塗布した板体３の嵌合凸部３１２に嵌合させることで、嵌合凹部３１１の下端が接着剤を介して固定部３１３に接着され、接着部４が形成される。溝部３１４に接着部４が形成されるので、上下の板体３がしっかりと嵌合した状態で接着される。
【００２６】
強度の高い領域Ｄにおいては、固定した板体３と、固定した板体３の上方に隣接する板体３とを、嵌合部３１で嵌合させる。
【００２７】
同様の作業を繰り返すことで、既存壁１０１を板体３で覆い、施工が完了する。なお、軒まで板体３を施工したら、釘等で留めてよい。
その後、入隅や出隅、板体３同士の継ぎ目に各入隅カバー５１、出隅カバー５２、継ぎ目カバー５３を設置する。
【００２８】
本実施形態によれば、以下の効果が奏される。
本実施形態では、壁構造１を、建物の既存壁１０１の表面に互いに隣接して取り付けられる複数の板体３を備えるものとした。また、隣接する板体３同士が接する部分に形成される嵌合部３１を、板体３同士を接着する接着剤で形成された接着部４を含んで構成した。これにより、既存壁１０１を板体３で覆うように取り付ける壁構造１において、板体３同士が嵌合により接続されるとともに、嵌合部３１が接着部４を有するため、板体３同士がずれにくくなる。すなわち、既存壁１０１の表面に板体３が取り付けられることで壁構造１の強度を高めることができると同時に、板体３同士が嵌合により接続され、かつ接着部４が嵌合部３１内にあるので、外部から板体３同士の継ぎ目が視認されず、意匠性を向上させることができる。
【００２９】
また、本実施形態によれば、板体３を、嵌合部３１が建物の水平方向に延びるように横張りで配置させた。これにより、地震等で建物が横方向に揺れたとしても、嵌合部３１に接着部４が形成されることで板体３同士がずれることを防止することができる。このため、耐震強度をより強化することができる。
【００３０】
また、本実施形態によれば、既存壁１０１を、建物の複数の壁面のうち、相対的に強度の低い領域Ｃを含んで構成し、接着部４を、領域Ｃにおける嵌合部３１に配置させた。これにより、建物の壁面の強度の高い領域Ｄで、接着部４を設けずに、強度の低い領域Ｃにおいて嵌合部３１に接着部４を設けることにより、既存壁１０１の各壁の強度が平均化されるとともに、建物の強度が全体的に高まる。
【００３１】
また、本実施形態によれば、建物の既存壁１０１の表面に互いに隣接して取り付けられる複数の板体３を備える壁構造１を施工する。その施工方法を、板体３を既存壁１０１に固定する固定工程と、板体３の上下方向に隣接する板体３を、板体３に嵌合させて接続する嵌合工程と、を含んで構成し、嵌合工程の前に、板体３と隣接する板体３との嵌合部３１に、接着剤を設ける接着部４形成工程と、を含んで構成した。これにより、上記と同様の効果を奏する。
【００３２】
なお、本発明は上記実施形態に限定されるものではなく、本発明の目的を達成できる範囲での変形、改良等は本発明に含まれる。
【００３３】
図３は、複数の板体３Ａを、略垂直方向に沿って取り付けた他の実施形態における壁構造１Ａを示す。板体３Ａ同士を嵌合させ、嵌合部３１に接着部４を設ける構成は、上記の実施形態と同様である。壁構造１Ａによれば、上記実施形態と同様に、意匠性を向上させつつ、耐震強度を強化することができる。また、壁構造１Ａによれば、嵌合部３１の延びる方向が略垂直方向であるため、特に上下の振動に対して強度が強くなる。地震等で板体３Ａが上下に揺れても、嵌合部３１に接着部４が形成されてしっかりと固定されているので、板体３Ａ同士がずれにくくなる。
【００３４】
また、例えば、上記実施形態では、壁構造１の複数の壁面の内、低強度の壁面においてのみ、板体３の嵌合部３１に接着部４を形成しているが、これに限られない。壁面の全てにおいて板体３の嵌合部３１に接着部４を形成してもよい。
【００３５】
また、例えば、上記実施形態では、壁構造は、板体として金属サイディングを用いているが、これに限られない。板状のものであれば、鋼板や、他の類似する素材で構成されていてもよい。
【符号の説明】
【００３６】
１    壁構造
２    通気胴縁
３    板体
４    接着部
３１  嵌合部
１０１  既存壁
Ｃ    領域Ｃ（低強度部）
【図１】
2019044442.tif 000003
【図２】
2019044442.tif 000004
【図３】
2019044442.tif 000005